(57)【要約】【課題】  読み取られた原稿上の修正痕を検出し、ＰＣ画面表示において修正痕をわかりやすく表示する。【解決手段】  原稿への修正液塗布を判定するために、通常露光量の読取モードと露出を絞った露出ダウンモードでの両モードでの読み取った画像の両方で飽和している領域を修正痕領域と判定し、修正痕領域と判定され検出された修正痕情報をイメージファイルの属性情報として画像データに関連付けて保存する。ＰＣ画面でイメージファイルを表示する場合には、修正痕の位置情報に基づいて画像の中の修正痕を強調表示する。【選択図】  図８
2006295307.tif 000002
【特許請求の範囲】
【請求項１】
原稿を露光する露光手段と、
前記露光手段により露光された原稿の画像を読み取る読取手段と、
前記原稿を所定の露光量で前記読取手段により読み取った場合の原稿の下地の濃度レベルが飽和しているか否かに基づいて、前記原稿への修正液塗布が行われた修正痕領域の有無を判定する判定手段と、
を有することを特徴とする画像読取装置。
【請求項２】
前記判定手段により修正痕領域有りと判定されると、修正痕領域の位置を表わす属性情報を前記原稿画像に付加する付加手段を有することを特徴とする請求項１記載の画像読取装置。
【請求項３】
前記属性情報はビットマップデータであることを特徴とする請求項２記載の画像読取装置。
【請求項４】
原稿を露光する露光手段と、
前記露光手段により露光された原稿の画像を読み取る読取手段と、
通常の露光量で原稿を読み取らせる第１のモードと前記通常の露光量よりも小さい所定の露光量で原稿を読み取らせる第２のモードを選択する選択手段と、
前記選択手段により前記第２のモードが選択されると、前記読取手段からの画像データに基づいて原稿に修正液塗布が行われた修正痕領域の有無を判定し、修正痕領域の位置を示す属性情報を生成する生成手段と、
を有することを特徴とする画像読取装置。
【請求項５】
前記第２のモードが選択された場合、前記通常の露光量で読み取った原稿の画像データに前記生成手段で生成された属性情報を付加させて他の機器に出力させる出力手段を有することを特徴とする請求項４記載の画像読取装置。
【請求項６】
原稿を露光する露光手段と、
前記露光手段により露光された原稿の画像を読み取る読取手段と、
前記原稿を所定の露光量で前記読取手段により読み取った画像データに基づいて前記原稿への修正液塗布が行われた修正痕領域を示す属性情報を生成する生成手段と、
を有する画像読取装置から転送された画像を処理する画像処理装置であって、
前記原稿の画像データと前記属性情報と基づいて前記原稿の画像に修正痕領域を識別させた表示用画像データを生成する第２の生成手段を有することを特徴とする画像処理装置。
【請求項７】
原稿を通常の画像読取時よりも少ない所定の露光量で露光する露光工程と、
前記露光工程で露光された原稿の画像を読み取る読取工程と、
前記原稿を所定の露光量で読み取った場合の原稿の下地の濃度レベルが飽和しているか否かに基づいて、前記原稿への修正液塗布が行われた修正痕領域の有無を判定する判定工程と、
を有することを特徴とする画像読取装置の制御方法。
【請求項８】
通常の露光量で原稿を読み取らせる第１のモードと前記通常の露光量よりも小さい所定の露光量で原稿を読み取らせる第２のモードを選択する選択工程と、
前記選択手段により前記第２のモードが選択されると、前記所定の露光量で原稿を露光する露光工程と、
前記露光工程で露光された原稿の画像を読み取る読取工程と、
前記読取工程で読み取られた画像データに基づいて原稿に修正液塗布が行われた修正痕領域の有無を判定する判定工程と、
修正痕領域の位置を示す属性情報を生成する生成工程と、
を有することを特徴とする画像読取装置の制御方法。
【請求項９】
原稿を露光する露光手段と、
前記露光手段により露光された原稿の画像を読み取る読取手段と、
前記原稿を所定の露光量で前記読取手段により読み取った画像データに基づいて前記原稿への修正液塗布が行われた修正痕領域を示す属性情報を生成する生成手段と、
を有する画像読取装置から転送された画像を処理する画像処理装置の制御方法であって、
前記画像読取装置から前記画像データ及び前記属性情報を受信する受信ステップと、
前記画像データと前記属性情報と基づいて前記原稿の画像に修正痕領域を識別させた表示用画像データを生成する生成工程を有することを特徴とする画像処理装置の制御方法。
【発明の詳細な説明】
【技術分野】
【０００１】
本発明は、デジタル複写機、スキャナ、ファクシミリ等の読取画像を電子化する画像読取装置に関する。
【背景技術】
【０００２】
近年ｅ−文書法制定にあたり、大量の原稿の紙画像情報が、電子データに変換され、保管される機会が増加することが、想定されている。また、電子データを公式文書として法的に有効になるので、より忠実に紙文書を電子データに変換する必要性が高まっている。
【０００３】
しかしながら、従来の画像読取装置では、修正液による修正痕や改ざんされた書類を読み取った場合、電子化されたデータからは修正された書類か否かの区別がつかず、原本の信頼性が高くなかった。
【０００４】
そこで、従来、この種の画像読取装置で原稿上の修正液等を検出する方法として、反射光用光源から帳票の表面に照射された光による第一のセンサの出力画像と透過光用光源から帳票の裏面に照射された光による第二のセンサの透過出力画像との差分を取り、この差分画像の中で黒画像が占める割合が所定値よりも大きい場合に修正液が塗布されていると判定する技術が知られている（例えば特許文献１参照）。
【０００５】
また、立体原稿や金属を読み取っても、ＣＣＤ自体が飽和して白抜け画像となることを防止することを目的とし、ＣＣＤ自体が飽和して白抜けとなる場合には、ハロゲンランプの駆動電圧を低くして原稿照射光量を弱くし、アナログプロセッサはＣＣＤよりの出力信号の増幅度を上げる技術なども知られている（例えば特許文献２参照）。
【特許文献１】特開２００１−２３６４６３号公報（第１頁、図１，３）
【特許文献２】特開平７−３８７１３号公報（第１頁、図１０）
【発明の開示】
【発明が解決しようとする課題】
【０００６】
しかしながら、修正液を検出可能な構成をとるものでも、修正液が塗布されていることを検出するだけであったり、その検出のためだけに２つの光源を持つ必要がありコストが掛かってしまったりするという問題があった。更には、原稿照射光量を弱くするような技術は、ＣＣＤ自体が修正液等により飽和して白抜け画像となることを防止するだけで、修正液による修正痕を検出できるものではないという問題点があった。
【０００７】
本発明は、このような問題点を解決するためになされたものであり、紙文書の電子保存化（イメージファイル化）に際し、読み取った画像の修正痕をわかりやすく（強調）することが可能な画像読取装置の提供を目的とする。
【課題を解決するための手段】
【０００８】
上記目的を達成するため、請求項１記載の発明は、原稿を露光する露光手段と、前記露光手段により露光された原稿の画像を読み取る読取手段と、前記原稿を所定の露光量で前記読取手段により読み取った場合の原稿の下地の濃度レベルが飽和しているか否かに基づいて、前記原稿への修正液塗布が行われた修正痕領域の有無を判定する判定手段と、を有することを特徴とする。
【０００９】
上記目的を達成するため、請求項４記載の発明は、原稿を露光する露光手段と、前記露光手段により露光された原稿の画像を読み取る読取手段と、通常の露光量で原稿を読み取らせる第１のモードと前記通常の露光量よりも小さい所定の露光量で原稿を読み取らせる第２のモードを選択する選択手段と、前記選択手段により前記第２のモードが選択されると、前記読取手段からの画像データに基づいて原稿に修正液塗布が行われた修正痕領域の有無を判定し、修正痕領域の位置を示す属性情報を生成する生成手段と、を有することを特徴とする。
【００１０】
上記目的を達成するため、請求項３記載の発明は、前記修正痕領域と判定され検出された修正痕情報をイメージファイルの属性情報として画像データに付帯させることを特徴とする。
【００１１】
上記目的を達成するため、請求項６記載の発明は、原稿を露光する露光手段と、前記露光手段により露光された原稿の画像を読み取る読取手段と、前記原稿を所定の露光量で前記読取手段により読み取った画像データに基づいて前記原稿への修正液塗布が行われた修正痕領域を示す属性情報を生成する生成手段と、を有する画像読取装置から転送された画像を処理する画像処理装置であって、前記原稿の画像データと前記属性情報と基づいて前記原稿の画像に修正痕領域を識別させた表示用画像データを生成する第２の生成手段を有することを特徴とする。
【発明の効果】
【００１２】
本発明によれば、原稿上の修正痕検出を行い、検出された修正痕情報をイメージファイルの属性情報として付帯させることにより、イメージファイルをＰＣ画面表示に表示する際には検出された修正痕をわかりやすく（強調）表示することが可能となり、紙文書に忠実な電子保存化（イメージファイル化）を行うことが可能となる。
【発明を実施するための最良の形態】
【００１３】
以下本発明の画像読取装置の実施の形態について、図面を参照しながら説明する。
【００１４】
図１は、本発明の実施形態に係わる画像読取装置の概略断面図である。
【００１５】
原稿台ガラス１００１上の第１の読取部１００２に対向する面の原稿Ｐの画像は、第１の読取部１００２に設けられた光源１００３で照明される。原稿からの反射光は第１，第２，第３ミラー１００４，１００５，１００６で光路を折り曲げられながらレンズ１００７でＣＣＤ素子１００８上に結像され、光電変換される。同様にして原稿台ガラス１００１上の第２の読取部１０１０に対向する面の原稿Ｐの画像は、第２の読取部１０１０に設けられた光源１０１１で照明される。原稿からの反射光は第１，第２，第３ミラー１０１２，１０１３，１０１４で光路を折り曲げられながらレンズ１０１５でＣＣＤ素子１０１６上に結像され、光電変換される。
【００１６】
また、第１の読取部１００２は、移動することで、原稿台ガラス１００１の下方を図の水平方向に移動することで、原稿の全面の画像を読み取ることができる。
【００１７】
原稿給送装置２０００は、前記第１の読取部１００２、第２の読取部１０１０で読み取られる原稿Ｐを搬送する装置である。
【００１８】
初めに、ピックアップローラ２００１は、原稿トレイ２００２上の原稿Ｐに、図示しない圧接手段により圧接されている。そして、原稿Ｐをピックアップローラ２００１により分離ローラ２００３に給送する。分離ローラ２００３の下流には、分離センサ２００４が配置され、分離センサ２００４を基準として、ピックアップローラ２００１を図示しない離間手段により、原稿Ｐから上方に離間する制御、及びピックアップローラ２００１を再び原稿トレイ２００２上の原稿Ｐに圧接する制御を行う。これらの動作を繰り返すことで、原稿トレイ２００２上の原稿Ｐを一枚ずつ給送する。レジストレーションローラ２００６の上流近傍にはレジストレーションセンサ２００７が配置され、レジストレーションセンサ２００７を基準として、搬送ローラ２００５、レジストレーションローラ２００６において斜行を補正するために、原稿Ｐにループを生じさせるループ制御を行う。その後、原稿Ｐは第１の読取部１００２及び第２の読取部１０１０で画像を読み取られながら原稿台ガラス１００１上を搬送されてから、搬送ローラ２００７を経て、排紙ローラ２００８により排紙トレイ２００９上に排出される。
【００１９】
次に、片面の原稿を読み取る制御について説明する。片面読み取りモードでは、第２の読取部１０１０のみを使用し、第１の読取部は使用しない。まず、原稿トレイ２００２上の原稿束からピックアップローラ２００１および分離ローラ２００３にて１枚ずつ原稿Ｐを分離して給送する（図２−１）。給送された原稿Ｐは先端がレジストレーションセンサ２００７に到達するまで搬送される。その後、レジストレーションセンサ２００７のＯＮをトリガにして、レジストレーションローラ２００６までの距離Ａとループ量Ｂの合計（Ａ＋Ｂ）の距離だけ搬送して停止する（図２−２）。ループ制御終了後、レジストレーションローラ２００６からの給紙を行う。原稿Ｐを搬送しながら、原稿Ｐの先端が第２の読取部１０１０の所定位置に到達した後、第２の読取部で原稿を読み取る（図２−３）。また、レジストレーションローラ２００６からの給紙後、原稿Ｐ後端の分離センサ２００４が原稿を検知しなくなったこと（原稿の後端を検知したこと）をトリガにして、次の原稿Ｑの分離を開始する（図２−４）。読み取られた原稿は排紙ローラ２００７にて搬送され排紙トレイ２００９上に排紙する（図２−５）。以上を、原稿トレイ２００２上の原稿束がなくなるまで繰り返す。
【００２０】
次に、両面の原稿を読み取る制御について説明する。両面読み取りモードでは、第１の読取部１００２および第２の読取部１０１０両方を使用する。まず、片面読み取りモードと同様に、原稿トレイ２００２上の原稿束からピックアップローラ２００１および分離ローラ２００３にて１枚ずつ原稿Ｐを分離して給送する（図２−１）。給送された原稿Ｐは先端がレジストレーションセンサ２００７に到達するまで搬送される。その後、レジストレーションセンサ２００７が原稿の先端を検知したことをトリガにして、レジストレーションローラ２００６までの距離Ａとループ量Ｂの合計（Ａ＋Ｂ）の距離だけ搬送して停止する（図２−２）。ループ制御終了後、レジストレーションローラ２００６からの給紙を行う。原稿Ｐの先端が第２の読取部１０１０の所定位置に到達した後、第２の読取部１０１０で読み取りを開始し、原稿Ｐの先端が第１の読取部の所定位置に到達した時に、第１の読取部で読み取りを開始する（図２−３）。また、レジストレーションローラ２００６からの給紙後、原稿Ｐ後端の分離センサ２００４が原稿を検知しなくなったことをトリガにして、次の原稿Ｑの分離を開始する（図２−４）。第１および第２の読取部で読み取られた原稿Ｐは排紙ローラ２００７にて搬送され排紙トレイ２００９上に排紙する（図２−５）。以上を、原稿トレイ２００２上の原稿がなくなるまで繰り返す。
【００２１】
図５は本実施形態の画像形成装置の回路構成を説明するブロック図である。
【００２２】
本実施形態の装置は、読み取る第１の画像読取部１００２を持つリーダー部５０００と、第２の画像読取部１０１０を持つＡＤＦ（オートドキュメントフィーダー）部５１００に大きく分けられる。
【００２３】
リーダー部５０００は、前記第１の画像読取部１００２、原稿台ガラス１００１上に配置された原稿サイズを検知する反射型の原稿サイズ検知センサ５０１０及び５０１１、前記第１の画像読取部１００２を副走査方向に移動させる光学モータ５０１４、ＡＤＦ部５１００の開閉を検知するセンサ５０１５及び５０１６、前記第１の画像読取部１００２の副走査方向の位置基準を検出するセンサ５０１７、そしてそれらの各負荷を制御する制御基板５００６と、各負荷とのインターフェイスと前記第１の画像読取部１００２により読み取った画像データを外部へ出力するインターフェイスとを兼ねるインターフェイス基板５０１２で主に構成される。
【００２４】
前記第１の画像読取部１００２は、ＣＣＤ１００８とＣＣＤ１００８で読み取ったアナログの画像データをデジタル化するアナログプロセッサＩＣ５００４とそれらを実装した基板５００２及び原稿を照明するＬＥＤ光源１００３から構成される。
【００２５】
前記制御基板５００６上には前記第一の画像読取部１００２で読み取られた画像データ及び第２の画像読取部１０１０で読み取られた画像データの画像処理を主に行うＡＳＩＣ５００７、装置全体の制御を行うＣＰＵ５００８、バックアップデータを格納するＥＥＰＲＯＭ５０２０及びＲＡＭ５００９等が主に実装される。
【００２６】
前記インターフェイス基板５０１２には前記光学モータ５０１４のドライバＩＣ５０１３、前記ＡＳＩＣ５００７で画像処理した画像データを外部へ出力するインターフェイスとなるチャネルリンクＩＣ５０１８・５０１９等が主に実装される。第１の画像読取部１００２で読み取られた画像データと第２の画像読取部１０１０で読み取られた画像データはそれぞれＩＣ５０１８とＩＣ５０１９を介し別系統で外部に出力される。
【００２７】
ＡＤＦ部５１００は、前記第２の画像読取部１０１０、原稿トレイ２００２上に配置される原稿を検知する原稿検知センサ５１２７、原稿の幅を検知する幅検知ボリューム５１２９、原稿サイズを判別する判別センサ５１２５・５１２６、ジャム処理用に開閉可能な外装の開閉を検知するカバー開閉センサ５１２８、原稿トレイ２００２上への原稿の積載を表示する表示ＬＥＤ５１１９、原稿の搬送路上に設置される分離センサ２００３、レジストレーションセンサ２００７、排紙センサ５１２１、分離ローラ２００３及び搬送ローラ２００５を駆動する給紙モータ５１１２、給紙モータ５１１２の駆動をピックアップローラ２００１に伝達するクラッチ５１１６、レジストレーションローラ２００６及び搬送ローラ２００７を駆動するリードモータ５１１３、排紙ローラ２００８を駆動し原稿を排紙トレイ２００９上へ排出する排紙モータ５１１４、そしてそれらの各負荷を制御する制御基板５１０６から主に構成される。
【００２８】
前記第２の画像読取部１０１０は、ＣＣＤ１０１６と、ＣＣＤ１０１６で読み取ったアナログの画像データをデジタル化するアナログプロセッサＩＣ５１０４と、それらを実装した基板５１０２及び原稿を照明するＬＥＤ光源１０１１とから構成される。
【００２９】
前記制御基板５１０６上には各モータのドライバＩＣであるＩＣ５１０８、ＩＣ５１０９、ＩＣ５１１０等が実装され、ＣＰＵ５１０７にて各負荷の制御を行う。ＣＰＵ５１０７はリーダー部５０００の制御基板５００６上のメインＣＰＵ５００８から指令を受け各負荷を制御する。
【００３０】
図３は原稿プラテンを説明する図である。
【００３１】
本実施形態の装置は、原稿７が載置される原稿台ガラス２の端部には原稿７が載置されるのと同じ面に設けられ、原稿７を載置する際の位置決めの役割を兼務する濃度基準板１が貼り付けられている。光源３は濃度基準板１や原稿７を照明し、その反射光が光源３を含む読み取り系４を経由してレンズ５で集光されてＣＣＤイメージセンサ６で読み取られることで画像データに変換される。読み取り系４は不図示のＣＰＵを含む制御部により制御された駆動部により、図３における水平方向（左右）への移動が行われる。この移動によって原稿画像読み取りのための副走査が行われ、主走査はＣＣＤイメージセンサ６で行われ、イメージセンサ６から二次元の画像として出力される。
【００３２】
図４は、本実施形態のＣＣＤセンサ６を説明する図である。
【００３３】
ＣＣＤイメージセンサ６はいわゆる４ラインセンサで構成されている。カラーモードで画像を読み取る場合を説明する。カラーモードで読み取るときは、スイッチ４１１３、４１１４はオンされ、スイッチ４１１１、４１１２はオフされる。４１０２は赤、４１０３は緑、４１０４は青の感光素子列である。１ライン蓄積時間分原稿を露光した反射光を受光した後、シフトパルスで電荷転送部に電荷が移される。４１０７は赤用の電荷転送部であり、スイッチ４１１３を介して、出力部からＲＯ信号が１ライン分出力される。４１０８は緑用の電荷転送部であり、スイッチ４１１４を介して、出力部からＧＯ信号が出力される。４１０９は青用の電荷転送部であり、出力部からＢＯ信号が出力される。
【００３４】
次に、白黒モードで画像を読み取る場合を説明する。白黒モードで読み取るときは、スイッチ４１１３、４１１４はオフされ、スイッチ４１１１、４１１２はオンされる。４１０１は白黒の感光素子列である。電荷転送部４１０５はＯＤＤ側、４１０６はＥＶＥＮ側の感光素子の電荷を転送するように構成されており、高速な読み出しが行われる。それぞれ、スイッチ４１１１、４１１２を介して、電荷転送部４１０５からはＢＷ−ＯＤＤ信号が出力され、電荷転送部４１０６からＢＷ−ＥＶＥＮ信号が出力される。なお、白黒の感光素子列はカラーフィルタを形成しないため、カラーの感光素子列より高感度であり、蓄積時間を削減し高速な読み出しを行ってもノイズの影響は少ない。このような構成を取ることにより、白黒モードではカラーモード時と同じ照明光量でも、より高速に画像を読み取ることができる。
【００３５】
図８は、本実施形態の画像読み取りシーケンスについて説明したフローチャートである。
【００３６】
まず設定された読み取りモードが「ｅ文書モード」であるか「通常モード」であるか判断する（Ｓ８０１）。ここでｅ文書モードとは、原稿の切り貼りや修正液による影等の立体情報を忠実に再現できる読取モードである。通常モードとは、原稿の影が極力再現されないようにする読取モードであり、通常の従来からある読取モードである。
【００３７】
読取モードがｅ文書モードである場合、２度の読み取りを行う。第１回目として通常露出での画像読取条件の設定を行う（Ｓ８０２）。そして設定された条件で原稿を走査し（Ｓ８０３）、読み取った画像データをＲＡＭ５００９に保存する（Ｓ８０４）。続いて第２回目として後述の露出ダウンモードでの画像読取条件の設定を行う（Ｓ８０５）。そして設定された条件で原稿を走査し（Ｓ８０６）、読み取ったステップＳ８０４で保存した画像データと関連付けてＲＡＭ５００９に保存する（Ｓ８０７）。その後図９に示す処理へ進む。なお、ステップＳ８０２とステップＳ８０５の順序を入れ替えても問題はない。
【００３８】
次に設定された読み取りモードが通常モードであった場合は１回の読み取りとなる。まず、通常露出での画像読取条件の設定を行う（Ｓ８０８）。そして設定された条件で原稿を走査し（Ｓ８０９）、読み取った画像データをＲＡＭ５００９に保存し（Ｓ８１０）、その後外部の機器に出力する（Ｓ８１１）。
【００３９】
図１０は、上述したステップＳ８０５における露出ダウンモード設定時に露出をダウンさせるための回路の概略図である。この回路では、光源の光量を減少させている。
【００４０】
ＣＰＵ５００８もしくはＡＳＩＣ５００７により設定される、光源の点灯／消灯を制御するＯＮ／ＯＦＦ信号と、ｅ文書モードもしくは通常モードといった読み取りモードにより露出を制御するモード設定信号を、光源の点灯回路１０１７及び点灯回路１０１７内の光量調整回路１０１８で受信する。受信した設定信号に応じてＬＥＤ光源１００３を点灯させる。ｅ文書モード時に露出ダウンが設定された場合は、ＬＥＤ光源１００３の光量を通常モード時の光量に対し１５％減少させ露出を絞る。本実施形態では光量を１５％減少させて露出を絞っているが、減少割合は装置によって適切な値をとることが望ましく、１５％という数値にこだわる必要はない。
【００４１】
また、露出をダウンさせる他の方法として、ＡＳＩＣ１００７で設定され出力されるＣＣＤ１００８の駆動パルスの周期を、露出ダウンモード設定時には通常時モード時に対し１５％高め露出を絞ることで行う（図５）。本実施形態では駆動パルスの周期を１５％高めて露出を絞っているが、周期を高める割合は装置によって適切な値をとることが望ましく、１５％という数値にこだわる必要はない。
【００４２】
図９は、本発明の修正痕領域を判定するシーケンスを説明するフローチャートであり、図８のステップＳ８０７の処理に引き続き行われる。まずＲＡＭ５００９に保存されている露出ダウンモードで読み取った画像データに濃度が飽和している領域があるか否かを判定する（Ｓ９０１）。飽和している領域があれば、その領域を修正痕領域と判定する（Ｓ９０２）。そしてその該当領域を示す属性データを生成し、読み取った画像データに付帯させ（Ｓ９０３）、画像データを外部へ出力する（Ｓ９０５）。属性データの形式としては、例えば、原稿画像と同じサイズの２値の画像データを記憶する領域を用意し、修正痕領域と判定された領域と同じ領域のビットを１にし、その他の領域のビットを０にする。即ち、ビットマップデータで修正痕領域を特定する。なお、データ量を削減するために分解能を落として例えば原稿画像のサイズの５０％のビットマップとしても良い。
【００４３】
飽和している領域がなければ、修正痕領域ではないと判定し（Ｓ９０４）、外部へ画像データを出力し（Ｓ９０６）、処理を終了する。
【００４４】
画像データが飽和しているか否かの判定は、画像データが８ｂｉｔの場合、ＲＧＢのカラー値がそれぞれ１０進数で２５５、２５５、２５５であれば、その画素は飽和していると判断する。通常、修正液を塗布し修正を行った箇所は他の箇所と下地の白さが異なり、ＲＧＢのカラー値が全て２５５となり飽和することが実験的にわかっている。本件では通常露出だけでなく露出ダウンでも画像読み取りを行い、この２モードの画像データ双方で下地の白さが飽和しているか判断するので確実に修正液の塗布を検知することができる。
【００４５】
図１１は、ｅ文書モードで読み取ったイメージファイルをパーソナルコンピュータ等の画面に表示した状態を説明する図である。
【００４６】
ｅ文書モードで読み取った画像データは、画像読取装置８０００から画像データに修正痕の位置・領域といった属性情報を加えた画像データ８００１としてＰＣ８００２に転送される。ＰＣ８００２では、この属性情報をもとに修正痕のある領域を判断して、その領域の表示色を変える等の処理を行った画像データ８００３を作成し、修正痕付近の画像の階調特性を補正して、修正痕があることを強調表示する。
【００４７】
本実施形態では、通常露出で画像読み取りを行うモードを通常モード、通常露出と露出を絞った露出ダウンモードの両方で画像読み取りを行うモードをｅ文書モードとする。
【００４８】
図６および図７は通常モードとｅ文書モードを選択する説明図である。いずれも、外部コントローラ装置の操作部に表示される画面である。図６は通常モードが選択されているときの操作部の表示である。ここからｅ文書モードを選択するには画面上部のｅ文書モードボタン６００１を押下する。ボタンを押下すると操作部の画面は図７のような表示に切り替わる。ｅ文書モードでは、読み取った原稿をイメージファイルとして保存するので、操作者は文書名ボックス７００１に文書ファイルを保存する場所およびファイル名を記入する。この状態で、操作者が不図示のスタートボタンを押すと、原稿の読み取り動作が開始される。また、図７の画面上部のＣＯＰＹボタン７００２または、ＳＥＮＤボタン７００３、ＢＯＸボタン７００４の何れかを押下すると、読取モードが通常モードに切り替えられ、指示された機能の設定画面に切り替わる。一例として、コピーボタン７００２を押下した場合は、図６の表示に切り替わることになる。
【００４９】
なお、画像読取装置側で修正痕の有無を判定する代わりに、上述したＰＣ側のプログラムにより修正痕の有無を判定しても良い。その場合、画像読取装置から通常の露光量で読み取った画像と露出ダウンモードで読み取った画像の両方をＰＣ側に送信すればよい。
【００５０】
また、本実施形態では原稿を照射する光源としてＬＥＤ光源を用いているが、キセノンランプ、ハロゲンランプ、蛍光灯等その他の光源であっても問題ないことは言うまでもない。また、画像読み取り手段としてはＣＣＤを用いているが、ＣＩＳを用いる構成でも問題ないことも言うまでもない。
【００５１】
また、本実施形態ではカラースキャナを例に説明したが、モノクロスキャナであっても良い。
【００５２】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００５３】
この場合、記憶媒体から読み出されたプログラムコード自体が前述した実施の形態の機能を実現することになり、そのプログラムコード及び該プログラムコードを記憶した記憶媒体は本発明を構成することになる。
【００５４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００５５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００５６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００５７】
【図１】画像読取装置の概略断面図
【図２】２−１〜２−５は原稿を読み取る制御について説明した図
【図３】プラテン読み取りを説明する図
【図４】ＣＣＤセンサ６を説明する図
【図５】読取部の回路構成を説明するブロック図
【図６】通常モード時の操作部画面を説明する図
【図７】ｅ文書モード時の操作部画面を説明する図
【図８】読み取りモードを説明するフローチャート
【図９】修正痕領域の判定を説明するフローチャート
【図１０】光量調整を説明する図
【図１１】ＰＣ画面でのイメージファイル表示を説明する図
【符号の説明】
【００５８】
２  原稿台ガラス
３  光源
４  読み取り系
５  レンズ
６  ＣＣＤイメージセンサ
７  原稿
１００１  原稿台ガラス
１００２  第１の読取部
１００３  光源
１００７  レンズ
１００８  ＣＣＤ素子
１０１０  第２の読取部
１０１１  光源
１０１６  ＣＣＤ素子
１０１８  光量調整回路
６００１  ｅ文書モードボタン
７００１  文書名ボックス
７００２  ＣＯＰＹボタン
７００３  ＳＥＮＤボタン
７００４  ＢＯＸボタン
８０００  画像読取装置
８００２  ＰＣ
８００３  イメージファイル
【図１】
2006295307.tif 000003
【図２】
2006295307.tif 000004
【図３】
2006295307.tif 000005
【図４】
2006295307.tif 000006
【図５】
2006295307.tif 000007
【図６】
2006295307.tif 000008
【図７】
2006295307.tif 000009
【図８】
2006295307.tif 000010
【図９】
2006295307.tif 000011
【図１０】
2006295307.tif 000012
【図１１】
2006295307.tif 000013